(57)【特許請求の範囲】
【請求項１】
スノーボード用のビンディングを構成するベースプレートに取付けたヒールカップに支承されて、前記ベースプレート上にて固定されるスノーボード用ブーツの背面を支持するハイバックの傾斜位置を決定する位置決め装置であって、
前記ハイバックの背面略中央に取付けられる取付基板と、この取付基板に取り付けた横方向の第１枢軸によって上下方向に開閉可能に枢支される操作レバーと、前記第１枢軸と平行な第２枢軸によって上下方向に揺動自在に枢支したロック部材と、このロック部材の下端がロック時にヒールカップ上面に当接するように付勢するバネとを備えたことを特徴とするハイバックの位置決め装置。
【請求項２】
前記バネを、前記第２枢軸上に介装される巻きバネとし、この巻きバネの両端を、前記操作レバー及びロック部材にそれぞれ係止させることにより、前記ロック部材が前記ハイバック側に付勢回動されるようにしたことを特徴とする請求項１に記載のハイバックの位置決め装置。
【請求項３】
前記取付基板と操作レバーとのそれぞれの擦れ合う面に微小突起を形成しておいて、前記操作レバーを開放したときに、前記両微小突起が互いに係合し合うことにより、前記操作レバーの開放位置が維持されるようにしたことを特徴とする請求項１または請求項２に記載のハイバックの位置決め装置。
【発明の詳細な説明】
【０００１】
【産業上の利用分野】
本発明は、スノーボード用ビンディングのハイバックに付設されて、このハイバックの傾斜位置を固定するための位置決め装置に関するものである。
【０００２】
【従来の技術】
スノーボード遊技を行うには、図１にも示すように、スノーボード３０に遊技者のスノーボード用ブーツ４０を固定しなければならないが、そのために使用するのがビンディング１０である。また、このビンディング１０には、スノーボード用ブーツ４０の背面を支承するためのハイバック１３を設けなければならない。このハイバック１３は、ビンディング１０のベースプレート１１に位置調整自在に設けたヒールカップ１２によって支承されるものであり、図５にも示すように、リフト待ちの際等のようにブーツ４０を外したときには倒しておく、つまり大きく前傾させおくものである。
【０００３】
このハイバック１３の前傾は、ブーツ４０を固定する場合にはこれを規制しなければならないが、そうするための従来構造は、例えば図７に示すようなものであった。この図７に示した構造は、特開平９−２６２３３５号公報にて提案されているスノーボード用ビンディングにおいて採用されているものであり、ハイバックの背面に前傾規制部材を設けておき、この前傾規制部材の下面がベースプレートの後端上面に対接するようにしたものである。
【０００４】
すなわち、従来のビンディングにおいては、上述したリフト待ちの際や梱包等のためにハイバックを大きく前傾させてベースプレート上に収納してしまう場合以外は、特にビンディングの使用中において、そのハイバックは図７に示したように、前傾規制部材によって前傾はせず、しかもベースプレートの後端部に支承されていて後傾もしないようになっている。
【０００５】
以上のように、ハイバック１３が一定の位置で固定的になっていることは、図１にも示した遊技中において、ターン操作をしたり、ブレーキ操作をしたりする場合に非常に重要なことなのであるが、スノーボード用ブーツ４０の着脱の際には非常に邪魔になるものとなっている。このため、スノーボード用ブーツ４０を各ビンディング１０のベースプレート１１に対して内側から装着したり外したりする場合には、このハイバック１３の内側面にスノーボード用ブーツ４０が当って非常にやりにくいものとなっている。
【０００６】
そこで、本発明者等は、ハイバック１３の遊技中における位置決めをしっかり行いながら、しかもスノーボード用ブーツ４０のビンディング１０からの脱着に際してはこのハイバック１３が邪魔にならないようにするにはどうしたらよいか、について種々検討を重ねてきた結果、本発明を完成したのである。
【０００７】
【発明が解決しようとする課題】
本発明は、以上の経緯に基づいてなされたもので、その解決しようとする課題はビンディング１０を構成しているハイバック１３について、その使用時における固定と、スノーボード用ブーツ４０のビンディング１０に対する脱着に際しての固定解除を簡単かつ確実に行えるようにすることである。
【０００８】
すなわち、まず請求項１に係る発明の目的とするところは、スノーボード３０での遊戯中におけるハイバック１３の固定を確実に行えるとともに、スノーボード用ブーツ４０のスノーボード３０に対するビンディング１０による脱着操作を行うに際して、簡単な操作によってハイバック１３をスノーボード用ブーツ４０の邪魔にならないように後傾させることのできる位置決め装置２０を提供することにある。
【０００９】
また、請求項２に係る発明の目的とするところは、上記請求項１と同様な目的を達成できる他、ハイバック１３を起立させるにあたって、ロック部材２３の下端がヒールカップ１２の上端面に確実に当接した状態で行えるようにして、ハイバック１３の固定操作を確実かつ安定的に行えるようにすることのできる位置決め装置２０を提供することにある。
【００１０】
さらに、請求項３に係る発明の目的とするところは、上記請求項１または請求項２と同様な目的を達成できる他、完全解放した各部材の位置をそのまま維持できるようにして、ハイバック１３を倒したときの安全性を確保できる位置決め装置２０を提供することにある。
【００１１】
【課題を解決するための手段】
以上の課題を解決するために、まず請求項１に係る発明の採った手段は、後述する実施の形態の説明中において使用する符号を付して説明すると、
「スノーボード３０用のビンディング１０を構成するベースプレート１１に取付けたヒールカップ１２に支承されて、ベースプレート１１上にて固定されるスノーボード用ブーツ４０の背面を支持するハイバック１３の傾斜位置を決定する位置決め装置２０であって、
ハイバック１３の背面略中央に取付けられる取付基板２１と、この取付基板２１に取り付けた横方向の第１枢軸２４ａによって上下方向に開閉可能に枢支される操作レバー２２と、第１枢軸２４ａと平行な第２枢軸２４ｂによって上下方向に揺動自在に枢支したロック部材２３と、このロック部材２３の下端がロック時にヒールカップ１２上面に当接するように付勢するバネ２５とを備えたことを特徴とするハイバックの位置決め装置２０」
である。
【００１２】
すなわち、この請求項１に係る位置決め装置２０は、その構成部材の１つである取付基板２１をハイバック１３の背面中央に取付けることにより、図１に示すように、各ハイバック１３の背面中央に位置することになるものである。この図１に示した各位置決め装置２０は、図２に示すように、そのロック部材２３の下端が、ビンディング１０を構成しているヒールカップ１２の中央上端内側に係合するようにしているため、ハイバック１３はヒールカップ１２に対して後傾不能な状態となっていて、結果的に、ハイバック１３はビンディング１０を構成しているベースプレート１１あるいはヒールカップ１２に完全に固定された状態となっているのである。
【００１３】
なお、図２に示したハイバック１３の固定状態においては、図３の（イ）に示すように、操作レバー２２側の係合突起２２ｂが取付基板２１上に止められているため、操作レバー２２の図示時計方向の回動が止められている。そして、この回動が止められた操作レバー２２と、ハイバック１３に取り付けられた取付基板２１との間にロック部材２３が位置しているのであるから、このロック部材２３は、図２に示す状態でハイバック１３の固定を維持しているものである。
【００１４】
さて、以上の状態から、スノーボード用ブーツ４０をスノーボード３０から外すためには、操作レバー２２の先端に指を掛けて、前述した係合突起２２ｂと取付基板２１との係合力に抗した力を入れて操作レバー２２を引き起すのである。そうすると、ロック部材２３は、第２枢軸２４ｂによって操作レバー２２に枢支してあるから、図４の（イ）に示すように、ヒールカップ１２上から引き上げられてそのロック状態が解除される。
【００１５】
以上の結果、ハイバック１３は、図４の（イ）中に示した仮想線のように、それまでの固定位置から後傾することができるようになって、それまで支承していたスノーボード用ブーツ４０の背面から後退し得るようになる。つまり、ハイバック１３とスノーボード用ブーツ４０との間には、スノーボード用ブーツ４０を自由に動かすことのできる空間ができるため、スノーボード用ブーツ４０の脱着が無理なく簡単に行えるようになるのである。このとき、ロック部材２３を操作レバー２２に枢支している第２枢軸２４ｂ上には、図３の（イ）及び図４に示したように、バネ２５が介装してあり、このバネ２５の両端は、操作レバー２２の裏面とロック部材２３自体に係合させてある。つまり、このバネ２５は、ロック部材２３の先端が操作レバー２２から離れるように、つまりロック部材２３の先端がハイバック１３の背面側に動き得るように、ロック部材２３を常に付勢しているものであり、図６にも示したように、操作レバー２２を開放したときに、当該ロック部材２３の先端（下端）がヒールカップ１２の上端側に確実に当接し得るのである。
【００１６】
勿論、スノーボード用ブーツ４０をスノーボード３０に取付けてからハイバック１３の固定を行うには、上述したのとは逆の操作を行えばよいのであるが、ロック部材２３をヒールカップ１２の上端に当接するようにしながら、操作レバー２２の閉止操作を行う必要がある。
【００１７】
従って、この請求項１に係る位置決め装置２０は、これによってハイバック１３の固定状態を規定された位置で確実に行えるのであり、単に操作レバー２２を上動するのみでそのロック状態を簡単に解除できて、スノーボード用ブーツ４０のスノーボード３０に対する脱着操作をハイバック１３が全く邪魔にならない状態で行えるものとなっているのであり、操作レバー２２を開放したときには、当該ロック部材２３の先端がヒールカップ１２の上端側に確実に当接し得るものとなっている。
【００１８】
上記課題を解決するために、請求項２に係る発明の採った手段は、上記請求項１に係る位置決め装置２０について、
「バネ２５を、第２枢軸２４ｂ上に介装される巻きバネとし、この巻きバネ２５の両端を、操作レバー２２及びロック部材２３にそれぞれ係止させることにより、ロック部材２３がハイバック１３側に付勢回動されるようにしたこと」
である。
【００１９】
すなわち、この請求項２の位置決め装置２０は、そのロック部材２３の下端（先端）が常にハイバック１３側に位置するように巻きバネ２５によって付勢させるようにしたものであり、これにより、特に、操作レバー２２を下方に下げても、ロック部材２３の下端がヒールカップ１２の上端面に自然に当接するようにしたものなのである。そして、この巻きバネ２５の介装は、当該巻きバネ２５が文字通り「巻きバネ」であるから、その巻いてある中心に第２枢軸２４ｂを挿通するという簡単な操作によって行えるのである。
【００２０】
換言すれば、例えば図４に示したように、操作レバー２２を上動すること材２３は巻きバネ２５によって図示反時計に回動するように付勢されていて、その下端が常にハイバック１３側に向かうようになっているのである。このため、このロック部材２３に全く触れなくても、操作レバー２２をそのまま下げれば、ロック部材２３の下端は、図６に示すような固定位置に自然に位置することになるのであり、図２に示した固定状態が完成するのである。
【００２１】
従って、この請求項２の位置決め装置２０は、前述した請求項１のそれと同様な機能を発揮することができる他、当該位置決め装置２０によるハイバック１３の固定操作を行うにあたって、単に操作レバー２２を下げればよいだけにすることができるのである。
【００２２】
そして、上記課題を解決するために、請求項３に係る発明の採った手段は、上記請求項１または請求項２の位置決め装置２０について、
「取付基板２１と操作レバー２２とのそれぞれの擦れ合う面に微小突起２１ａ・２２ａを形成しておいて、操作レバー２２を開放したときに、両微小突起２１ａ・２２ａが互いに係合し合うことにより、操作レバー２２の開放位置が維持されるようにしたこと」
である。
【００２３】
すなわち、この請求項３の位置決め装置２０は、図４の（ロ）に示すように、取付基板２１側に微小突起２１ａを、また操作レバー２２側に微小突起２２ａをそれぞれ形成したものであって、これらの微小突起２１ａ及び微小突起２２ａは、それぞれ互いに係合し合う微小な高さを有しているもので、互いに擦れ合う面に形成したものである。このため、操作レバー２２を図５に示したように大きく開放すれば、各微小突起２１ａ及び微小突起２２ａの関係は図５に示したようなもの、つまり、操作レバー２２側の取付基板２１側の微小突起２１ａを乗り越えた状態となる。
【００２４】
つまり、この操作レバー２２は、通常の状態であれば図４に示した状態に開放されるのであるが、これに外的な無理な力が加わった場合に、その破損を防止したり、当該操作レバー２２の前傾角度調整を行うためのネジ回転操作を行うときには、図５に示した程度に大きく開放されるものである。この操作レバー２２を大きく開放したときには、操作レバー２２とロック部材２３との交差角度が図５に示した状態に保たれるのであり、操作レバー２２がハイバック１３側に大きく倒れることになるのである。これにより、ハイバック１３を図５のように大きく倒したときに、操作レバー２２の先端が図示上方に大きく突出しなくなり、他の物に当ったり引っかけたりすることが少なくなる状態が維持されることにもなるのである。
【００２５】
従って、この請求項３の位置決め装置２０は、前述した請求項１または請求項２のそれと同様な機能を発揮する他、解放時の操作レバー２２の先端が大きく上方に突出させない状態を維持できて、より一層安全性を確保することができるのである。
【００２６】
【発明の実施の形態】
次に、以上のように構成した各発明を、図面に示した実施の形態である位置決め装置２０について説明するが、この実施形態に係る位置決め装置２０は、上記各発明を実質的に含むものであるため、以下はこの実施形態の位置決め装置２０を中心に説明していくこととする。
【００２７】
さて、図１には、本発明に係る位置決め装置２０を有するビンディング１０を使用して、遊技者のスノーボード用ブーツ４０をスノーボード３０に固定し、このスノーボード３０による遊技を行っている斜視図が示してある。スノーボード用ブーツ４０をスノーボード３０に取付けるためのビンディング１０は、図示しないネジ等によってスノーボード３０上に固着されるベースプレート１１と、このベースプレート１１に対して前後の位置調整自在に取付けられるヒールカップ１２と、このヒールカップ１２に後方が支えられてスノーボード用ブーツ４０の背面を支承することになるハイバック１３とを備えているもので、このハイバック１３の背面略中央に、ヒールカップ１２の中央上面に一部が当接することになる本発明の位置決め装置２０が取付けられているのである。なお、各位置決め装置２０は、それぞれのハイバック１３についての位置決めを行うものであるから、各ビンディング１０にそれぞれ１つずつ設けられるものである。
【００２８】
ハイバック１３の、ベースプレート１１あるいはヒールカップ１２に対する取付けは、種々考えられるものであるが、本実施形態においては、図２に示したように、ヒールカップ１２の側面に位置する各軸１４（左右両側に１個ずつある）によって回動可能に枢支したものである。この軸１４での枢支によって、ハイバック１３は、図４及び図５中の仮想線にて示した後傾位置へも回動し得るようにしたものである。なお、このハイバック１３の後傾位置は、図２に示した固定位置よりも後方、つまり図示左方に傾動した位置である。
【００２９】
位置決め装置２０は、図２及び図３に示したように、ハイバック１３の背面略中央に取付けられる取付基板２１と、この取付基板２１に対して横方向の第１枢軸２４ａによって上下方向に開閉可能に枢支される操作レバー２２と、この操作レバー２２に対して第１枢軸２４ａと平行な第２枢軸２４ｂによって上下方向に揺動自在に枢支されて、ロック時に下端がヒールカップ１２上面に当接することになるロック部材２３とを備えたものであり、これらの取付基板２１、操作レバー２２及びロック部材２３は合成樹脂を材料として形成したものである。
【００３０】
取付基板２１は、図２に示したように、ハイバック１３の背面中央に対して一体的に取付けられるものであり、その図示上部両側には、図３の（ロ）及び（ハ）にても示したように、第１枢軸２４ａを枢支するためのアーム部２１ｂが一体的に形成してある。これらの両アーム部２１ｂ間には、図３の（ハ）にて示したように、ロック部材２３の上端部が挿入されるものである。
【００３１】
また、この取付基板２１の、前述した各アーム部の内面には、図４にも示したように、第１枢軸２４ａの軸心方向に僅かに突出する微小突起２１ａが一体的に形成してあり、この微小突起２１ａは、次に述べる操作レバー２２側の微小突起２２ａに係合し合うものとしてある。なお、これらの微小突起２１ａと微小突起２２ａとは、人の手の力による操作レバー２２の回動によって簡単に乗り越えることができる程度の高さとしてあるものである。従って、この取付基板２１側の微小突起２１ａは、図４の（ロ）または図５に示したような状態で操作レバー２２側の微小突起２２ａに係合し合うことになり、それぞれの状態を維持することができるようにしたものである。
【００３２】
さらに、この取付基板２１の、第１枢軸２４ａの直下になる面は、図３の（イ）にて示したように、次に述べる操作レバー２２側の係合突起２２ｂを係止するための部分となって、この部分に係合突起２２ｂが係合することによって、収納時の操作レバー２２の位置決め固定を行っているものである。
【００３３】
操作レバー２２は、その上端部に設けた第１枢軸２４ａを、上記取付基板２１の各アーム部に挿入することにより、取付基板２１に対して回動自在に連結したものであり、図３の（ハ）にて示すように、次に述べるロック部材２３の全体を上方から覆うことのできる程度の大きさを有したものである。なお、この操作レバー２２の先端部裏面側には、指を掛けたときに滑らないようにする指掛凹所が形成してある。
【００３４】
この操作レバー２２の第１枢軸２４ａに近接した両側面には、図４の（ロ）に示したように、前述した取付基板２１側の微小突起２１ａの係合し得る微小突起２２ａがそれぞれ一体的に形成してあり、また、図３の（イ）に示したように、取付基板２１側に係止されることになる係合突起２２ｂが、第１枢軸２４ａの直近に、これと平行に突出形成してある。
【００３５】
さて、ロック部材２３は、前述した第１枢軸２４ａとは全く別で、これと平行となっている第２枢軸２４ｂに軸支したものであり、この第２枢軸２４ｂは操作レバー２２に枢支させたものである。つまり、このロック部材２３は、操作レバー２２を開閉操作したとき、これに応じて動くものであり、かつ操作レバー２２に対しても第２枢軸２４ｂによって回動し得るものである。
【００３６】
このロック部材２３を操作レバー２２に枢支している第２枢軸２４ｂ上には、図３の（イ）及び図４に示したように、巻きバネ２５が介装してあり（実際上は巻きバネ２５を第２枢軸２４ｂに挿通してある）、この巻きバネ２５の両端は、操作レバー２２の裏面とロック部材２３自体に係合させてある。つまり、この巻きバネ２５は、ロック部材２３の先端が操作レバー２２から離れるように、つまりロック部材２３の先端がハイバック１３の背面側に動き得るように、ロック部材２３を常に付勢しているものであり、例えば図６にも示したように、操作レバー２２を開放したときに、当該ロック部材２３の先端（下端）がヒールカップ１２の上端側に確実に当接し得るようにしたものである。
【００３７】
【発明の効果】
以上、詳述した通り、まず、請求項１に係る発明によれば、上記実施形態にて例示した如く、
「スノーボード３０用のビンディング１０を構成するベースプレート１１に取付けたヒールカップ１２に支承されて、ベースプレート１１上にて固定されるスノーボード用ブーツ４０の背面を支持するハイバック１３の傾斜位置を決定する位置決め装置２０であって、
ハイバック１３の背面略中央に取付けられる取付基板２１と、この取付基板２１に取り付けた横方向の第１枢軸２４ａによって上下方向に開閉可能に枢支される操作レバー２２と、第１枢軸２４ａと平行な第２枢軸２４ｂによって上下方向に揺動自在に枢支したロック部材２３と、このロック部材２３の下端がロック時にヒールカップ１２上面に当接するように付勢するバネ２５とを備えたこと」
にその構成上の特徴があり、これにより、スノーボード３０での遊戯中におけるハイバック１３の固定を確実に行えるとともに、スノーボード用ブーツ４０のスノーボード３０に対するビンディング１０による脱着操作を行うに際して、簡単な操作によってハイバック１３をスノーボード用ブーツ４０の邪魔にならないように後傾させることができ、しかも操作レバー２２を開放したときには、バネ２５によって、当該ロック部材２３の先端をヒールカップ１２の上端側に確実に当接させることができる位置決め装置２０を提供することができるのである。
【００３８】
また請求項２の位置決め装置２０によれば、上記請求項１の位置決め装置２０について、
「バネ２５を、第２枢軸２４ｂ上に介装される巻きバネとし、この巻きバネ２５の両端を、操作レバー２２及びロック部材２３にそれぞれ係止させることにより、ロック部材２３がハイバック１３側に付勢回動されるようにしたこと」
にその構成上の特徴があり、これにより、上記請求項１と同様な目的を達成
できる他、ハイバック１３を起立させるにあたって、ロック部材２３の下端がヒールカップ１２の上端面に確実に当接した状態で行えるようにして、ハイバック１３の固定操作を確実かつ安定的に行えるようにすることができ、巻きバネ２５の介装も簡単にできる位置決め装置２０を提供することができるのである。
【００３９】
そして、請求項３の位置決め装置２０によれば、上記請求項１または請求項２の位置決め装置２０について、
「取付基板２１と操作レバー２２とのそれぞれの擦れ合う面に微小突起２１ａ・２２ａを形成しておいて、操作レバー２２を開放したときに、両微小突起２１ａ・２２ａが互いに係合し合うことにより、操作レバー２２の開放位置が維持されるようにした」
ことにその構成上の特徴があり、これにより、記請求項１または請求項２と同様な目的を達成できる他、完全解放した各部材の位置をそのまま維持できるようにして、ハイバック１３を倒したときの安全性を確保することのできる位置決め装置２０を提供することができるのである。
【図面の簡単な説明】
【図１】  本発明に係る位置決め装置を有するビンディングを使用してスノーボード用ブーツをスノーボードに取付けた状態を示す傾斜図である。
【図２】  同位置決め装置のロック状態における様子を示す部分拡大断面図である。
【図３】  図２に示した状態での位置決め装置を拡大して示すもので、（イ）は縦断側面図、（ロ）は側面図、（イ）は平面図である。
【図４】  操作レバーの第一段階の開放を行ったときの状態を示すもので、（イ）はハイバックとの関係を示す部分断面図、（ロ）は位置決め装置の拡大側面図である。
【図５】  ハイバックを倒し、かつ操作レバーの開放を行ったときの状態を示す部分拡大側面図である。
【図６】  開放した操作レバーを押し戻したときの状態を示すもので、（イ）はハイバックとの関係を示す部分断面図、（ロ）は位置決め装置の拡大側面図である。
【図７】  従来の技術を例示する側面図である。
【符号の説明】
１０    ビンディング
１１    ベースプレート
１２    ヒールカップ
１３    ハイバック
１４    軸
２０    位置決め装置
２１    取付基板
２１ａ  微小突起
２１ｂ  アーム部
２２    操作レバー
２２ａ  微小突起
２２ｂ  係合突起
２３    ロック部材
２４ａ  第１枢軸
２４ｂ  第２枢軸
２５    巻きバネ
３０    スノーボード
４０    スノーボード用ブーツ
【図１】
0003893863.tif 000002
【図２】
0003893863.tif 000003
【図３】
0003893863.tif 000004
【図４】
0003893863.tif 000005
【図５】
0003893863.tif 000006
【図６】
0003893863.tif 000007
【図７】
0003893863.tif 000008